(57)【要約】【課題】  本発明の課題は、好適な撮影を行うことができる撮影装置を提供することである。【解決手段】  本発明に係る撮影装置は、主要被写体を記憶する記憶部（１０８）と、第１画像、及び、前記第１画像の被写界の少なくとも一部を含む第２画像を取得可能な画像取得部（１０２，１０３）と、前記主要被写体が前記第２画像に含まれるとき警告を行う警告部（１５４，１１１）とを含むことを特徴とする。【選択図】    図１
2010118984.tif 000002
【特許請求の範囲】
【請求項１】
主要被写体を記憶する記憶部と、
第１画像、及び、前記第１画像の被写界の少なくとも一部を含む第２画像を取得可能な画像取得部と、
前記主要被写体が前記第２画像に含まれるとき警告を行う警告部と
を含むことを特徴とする撮影装置。
【請求項２】
請求項１に記載された撮影装置であって、
前記警告部は、前記主要被写体が前記第２画像に含まれ、且つ、前記第１画像に含まれないときに警告を行うことを特徴とする撮影装置。
【請求項３】
請求項１または請求項２に記載された撮影装置であって、
前記第１画像を形成する第１光学系と、
前記第２画像を形成する前記第１光学系よりも広角な第２光学系とを含むことを特徴とする撮影装置。
【請求項４】
請求項１から請求項３までの何れか１項に記載された撮影装置であって、
前記第２画像は、前記第１画像の被写界の全てを含むことを特徴とする撮影装置。
【請求項５】
請求項１から請求項４までの何れか１項に記載された撮影装置であって、
前記第１画像を記憶する画像記憶部を含むことを特徴とする撮影装置。
【請求項６】
請求項１から請求項５までの何れか１項に記載された撮影装置であって、
前記画像取得部は、前記第２画像を前記第１画像よりも粗い解像度で取得することを特徴とする撮影装置。
【請求項７】
請求項１から請求項６までの何れか１項に記載された撮影装置であって、
前記主要被写体に対応する特徴が入力される入力部を有し、
前記記憶部は、前記入力部に入力された前記特徴に基づいて認識した前記主要被写体を記憶することを特徴とする撮影装置。
【請求項８】
請求項７に記載された撮影装置であって、
前記特徴は、色、コントラスト、形状および動きの少なくとも１つであることを特徴とする撮影装置。
【請求項９】
請求項１から請求項８までの何れか１項に記載された撮影装置であって、
前記主要被写体は、人間であることを特徴とする撮影装置。
【請求項１０】
請求項１から請求項９までの何れか１項に記載された撮影装置であって、
前記第２画像を表示する表示部を有し、
前記警告部は、前記表示部に表示される前記第２画像に含まれる前記主要被写体を強調表示させることを特徴とする撮影装置。
【請求項１１】
請求項１から請求項１０までの何れか１項に記載された撮影装置であって、
前記警告部は、前記主要被写体が前記第２画像に含まれる時、音、光、振動の少なくとも１つを発生させることを特徴とする撮影装置。
【発明の詳細な説明】
【技術分野】
【０００１】
本発明は、撮影装置に関する。
【背景技術】
【０００２】
前方の被写体を撮影するメインカメラに加えて、メインカメラとは異なる方向の画像を撮影するサブカメラを搭載した撮影装置が知られている。このような撮影装置では、被写体を撮影中の撮影者をサブカメラを用いて撮影し、メインカメラで撮影する被写体画像と共に記録するようになっている（例えば、特許文献１参照）。
【０００３】
ところが、従来のサブカメラを有する撮影装置は、単に被写体画像と共に撮影者の画像を撮影するだけであり、サブカメラで撮影した画像をメインカメラでの撮影に利用するものではなかった。
【特許文献１】特開２００６−０３３６１１号公報
【発明の開示】
【発明が解決しようとする課題】
【０００４】
本発明の課題は、好適な撮影を行うことができる撮影装置を提供することである。
【課題を解決するための手段】
【０００５】
本発明は、以下のような解決手段により前記課題を解決する。尚、理解を容易にするために、本発明の一実施例を示す図面に対応する符号を付して説明するが、これに限定されるものではない。
【０００６】
請求項１に記載の発明は、主要被写体を記憶する記憶部（１０８）と、第１画像、及び、前記第１画像の被写界の少なくとも一部を含む第２画像を取得可能な画像取得部（１０２，１０３）と、前記主要被写体が前記第２画像に含まれるとき警告を行う警告部（１５４，１１１）とを含むことを特徴とする。
【０００７】
請求項２に記載の発明は、前記警告部（１５４，１１１）は、前記主要被写体が前記第２画像に含まれ、且つ、前記第１画像に含まれないときに警告を行うことを特徴とする。
【０００８】
請求項３に記載の発明は、前記第１画像を形成する第１光学系（１１２）と、前記第２画像を形成する前記第１光学系よりも広角な第２光学系（１２３）とを含むことを特徴とする。
【０００９】
請求項４に記載の発明は、前記第２画像は、前記第１画像の被写界の全てを含むことを特徴とする。
【００１０】
請求項５に記載の発明は、前記第１画像を記憶する画像記憶部（１０９）を含むことを特徴とする。
【００１１】
請求項６に記載の発明は、前記画像取得部（１０２，１０３）は、前記第２画像を前記第１画像よりも粗い解像度で取得することを特徴とする。
【００１２】
請求項７に記載の発明は、前記主要被写体に対応する特徴が入力される入力部（１５２）を有し、前記記憶部（１０８）は、前記入力部に入力された前記特徴に基づいて認識した前記主要被写体を記憶することを特徴とする。
【００１３】
請求項８に記載の発明は、前記特徴は、色、コントラスト、形状および動きの少なくとも１つであることを特徴とする。
【００１４】
請求項９に記載の発明は、前記主要被写体は、人間であることを特徴とする。
【００１５】
請求項１０に記載の発明は、前記第２画像を表示する表示部（１０７）を有し、前記警告部（１５４，１１１）は、前記表示部（１０７）に表示される前記第２画像に含まれる前記主要被写体を強調表示させることを特徴とする。
【００１６】
請求項１１に記載の発明は、前記警告部（１５４，１１１）は、前記主要被写体が前記第２画像に含まれる時、音、光、振動の少なくとも１つを発生させることを特徴とする。
【００１７】
尚、符号を付して説明した構成は適宜改良してもよく、また、少なくとも一部を他の構成物に代替してもよい。
【発明の効果】
【００１８】
本発明に係る撮影装置は、好適な撮影を行うことができる撮影装置を提供することができる。
【発明を実施するための最良の形態】
【００１９】
以下、本発明に係る撮影装置１０１の実施形態について図面を用いて詳しく説明する。尚、撮影装置１０１は、本撮影画像の撮影エリア外にある主要被写体の位置などを撮影者に警告するので、撮影者は主要被写体が撮影エリアに入ってくる方向を事前に知ることができ、絶好の撮影タイミングを逃すことなく主要被写体を撮影できるようになっている。また、本実施形態では主要被写体が人間である場合について説明するが、動物や乗り物などであっても構わない。
【００２０】
図１は、本実施形態に係る撮影装置１０１の構成を示すブロック図である。撮影装置１０１は、メインカメラ１０２と、サブカメラ１０３と、共通部１０４とで構成される。尚、図１では説明が分かり易いように、メインカメラ１０２とサブカメラ１０３と共通部１０４とを別のブロックとして描いてあるが、メインカメラ１０２とサブカメラ１０３と共通部１０４の間に明確な境界はなく、これらのブロックに含まれる構成要素が１つの撮影装置１０１内に含まれていればよい。
【００２１】
次に、撮影装置１０１の外観について図２を用いて説明する。図２（ａ）は撮影装置１０１の正面の様子を描いた図で、図２（ｂ）は撮影装置１０１の背面の様子を描いた図である。尚、図１と図２において、同符号のブロックは同じものを示す。
【００２２】
図２において、撮影装置１０１の筐体には、図１の操作部１０６に含まれる各種の操作ボタンが配置されている。例えば、電源ボタン２５１、レリーズボタン２５２、ズームボタン２５３、十字カーソルボタン２５４などの操作ボタンが撮影装置１０１の筐体に配置され、これらの操作ボタンの操作情報は制御部１０５に出力される。
【００２３】
図２（ａ）において、撮影装置１０１の正面にはメインカメラ１０２のレンズ光学系１１２が配置され、その横にはサブカメラ１０３のレンズ光学系１２３が配置されている。ここで、メインカメラ１０２のレンズ光学系１１２とサブカメラ１０３のレンズ光学系１２３とは同じ正面方向を撮影するようになっている。尚、メインカメラ１０２のレンズ光学系１１２とサブカメラ１０３のレンズ光学系１２３は、視差が少なくなるようにできるだけ近接して配置するのが望ましい。また、本実施形態に係る撮影装置１０１において、サブカメラ１０３のレンズ光学系１２３は、メインカメラ１０２のレンズ光学系１１２よりも広角である。
【００２４】
次に、図１の各部の構成について詳しく説明する。図１において、メインカメラ１０２は、レンズ光学系１１２と、撮像部１１３と、アナログ信号処理部１１４と、Ａ／Ｄ変換部１１５と、画像バッファ１１６と、デジタル信号処理部１１７と、ＡＥ部１１８と、ＡＦ部１１９と、レンズ駆動部１２０とで構成され、第１画像を撮影する。ここで、第１画像は撮影装置１０１で撮影する本撮影画像である。また、本撮影画像とは、様々な制御などに用いる補助的な画像ではなく、保存や印刷することを目的とした撮影画像のことである。
【００２５】
メインカメラ１０２において、被写体から入射する光はレンズ光学系１１２を介して撮像部１１３の受光面に結像される。撮像部１１３は、受光面に光電変換部が二次元状に配置され、光を電気信号に変換する。アナログ信号処理部１１４は、撮像部１１３が出力する電気信号のノイズ除去や増幅などを行う。Ａ／Ｄ変換部１１５は、アナログの電気信号をデジタルの画像データに変換し、画像バッファ１１６に一時的に記憶する。
【００２６】
デジタル信号処理部１１７は、画像バッファ１１６に一時的に記憶された画像データに対してガンマ変換や色補正処理などの画像処理を行って制御部１０５に出力する。そして、制御部１０５は、デジタル信号処理部１１７によって画像処理された本撮影画像をメモリカード１０９に保存し、必要に応じて液晶モニタ１０７に表示する。
【００２７】
ＡＥ部１１８は、撮影前に予め指定したエリアで測光を行い制御部１０５に出力する。そして、制御部１０５は測光値に応じて撮像部１１３で本撮影する際の露出制御を行う。
【００２８】
ＡＦ部１１９は、撮影画面内の予め設定されたフォーカスエリアでデフォーカス量を求めて制御部１０５に出力する。そして、制御部１０５はデフォーカス量に応じて焦点位置を求め、レンズ駆動部１２０に指令してレンズ光学系１１２のフォーカスレンズの位置を制御する。尚、制御部１０５は、操作部１０６のズームボタン操作に応じてレンズ駆動部１２０に指令し、レンズ光学系１１２のズームレンズを移動して焦点距離を可変する。
【００２９】
ここで、制御部１０５は、メインカメラ１０２で本撮影画像とプレビュー画像とを撮影する。本撮影画像は、撮影者がレリーズボタン２５２を押下した時に撮影される画像で、メモリカード１０９に保存される。プレビュー画像は、時間的に連続して液晶モニタ１０７に表示され、レリーズボタン２５２の押下前に撮影者が撮影構図を決めるために撮影される画像である。
【００３０】
次に、サブカメラ１０３について説明する。サブカメラ１０３は、レンズ光学系１２３と、撮像部１２４と、アナログ信号処理部１２５と、Ａ／Ｄ変換部１２６と、画像バッファ１２７と、デジタル信号処理部１２８とで構成され、第２画像を撮影する。尚、第２画像は、メインカメラ１０２でプレビュー画像を撮影中にサブカメラ１０３で撮影する補助的な画像である。本実施形態では、第２画像を用いて主要被写体の認識処理を行う。また、第２画像の撮影画角は第１画像の撮影画角より広角で、第２画像は第１画像の被写界の少なくとも一部を含むものとする。さらに、第２画像の解像度は、第１画像の解像度より低くても構わない。
【００３１】
ここで、本実施形態では、サブカメラ１０３のレンズ光学系１２３はメインカメラ１０２のレンズ光学系１１２のズームレンズのワイド端よりも広角な固定焦点型のレンズとするが、レンズ光学系１１２と同じレンズを用い、レンズ駆動部１２９を設けて、メインカメラ１０２のようにフォーカス制御やズーム制御を行えるようにしても構わない。同様に、メインカメラ１０２のＡＥ部１１８やＡＦ部１１９と同じものをサブカメラ１０３側に設けても構わない。
【００３２】
サブカメラ１０３において、被写体から入射する光はレンズ光学系１２３を介して撮像部１２４の受光面に結像される。撮像部１２４は、受光面に二次元状に配置された光電変換部で光を電気信号に変換する。アナログ信号処理部１２５は、撮像部１２４が出力する電気信号のノイズ除去や増幅などを行う。Ａ／Ｄ変換部１２６は、アナログの電気信号をデジタルの画像データに変換し、画像バッファ１２７に一時的に記憶する。
【００３３】
デジタル信号処理部１２８は、画像バッファ１２７に一時的に記憶された画像データに対してガンマ変換や色補正処理などの画像処理を行って制御部１０５に出力する。制御部１０５は、デジタル信号処理部１２８が画像処理したサブカメラ１０３の撮影画像から予め登録されている主要被写体の認識処理を行う。尚、主要被写体の認識処理については後で詳しく説明する。
【００３４】
次に、共通部１０４について説明する。共通部１０４は、制御部１０５と、操作部１０６と、液晶モニタ１０７と、メモリ１０８と、メモリカード１０９を接続するカードＩ／Ｆ１１０と、警告部１１１とで構成される。
【００３５】
共通部１０４において、撮影者は、操作部１０６に含まれるレリーズボタン２５２，ズームボタン２５３，十字カーソルボタン２５４などを用いて撮影装置１０１を操作する。制御部１０５は、内部に予め組み込まれたプログラムに従って動作し、操作部１０６から得られる操作情報に応じて、撮影装置１０１の各ブロックを制御する。また、制御部１０５は、メインカメラ１０２やサブカメラ１０３から得られる撮影画像或いはメニュー画面などの文字メッセージやグラフィックを液晶モニタ１０７に表示する。
【００３６】
メモリ１０８には、制御部１０５が各部を制御する際のパラメータなどが記憶される。特に、本実施形態では、主要被写体を認識するための被写体情報が記憶される。また、メインカメラ１０２で本撮影された画像は、カードＩ／Ｆ１１０に装着されたメモリカード１０９に保存される。
【００３７】
警告部１１１は、制御部１０５が主要被写体を認識した場合、音，光，振動の少なくとも１つを用いて、主要被写体が第２画像で認識されたことを撮影者に知らせる。例えば、警告部１１１は、警報音や音声で撮影者に警告するブザーやスピーカなどで構成される。または、振動によって主要被写体の認識を撮影者に知らせる振動モーターなどで構成しても構わない。或いは、液晶モニタ１０７のバックライトを点滅させたり、専用のＬＥＤ（発光ダイオード）を設けて光によって主要被写体の認識を撮影者に知らせるようにしても構わない。
【００３８】
次に、制御部１０５について詳しく説明する。制御部１０５は、内部に予め組み込まれたプログラムに従って動作し、メインカメラ１０２やサブカメラ１０３の各部の制御を行う。また、本実施形態では、制御部１０５は、サブカメラ１０３の撮影画像を用いて主要被写体の認識処理を行い、主要被写体の認識結果に応じて撮影を補助するための様々なメッセージを警告部１１１や液晶モニタ１０７に出力する。制御部１０５は、主要被写体の認識処理などを行うために、被写体認識部１５１、登録処理部１５２、および警告処理部１５４などの処理部を有する。
【００３９】
被写体認識部１５１は、サブカメラ１０３の画像バッファ１２７に一時的に記憶された第２画像に対して予めメモリ１０８に登録されている主要被写体があるか否か認識する。ここで、主要被写体を認識するために次のような被写体情報を利用する。例えば、色（ＲＧＢヒストグラムなど）、コントラスト（輝度値や輝度変化など）、動き（移動速度、移動加速度、移動方向など）、形状（顔形状、背格好、持ち物、髪型など）、行動パターン（手を振るなど特定動作）、構成（二人組、三人組など）の被写体情報を利用する。或いは、特定の人物を認識する１つの方法として、顔の特徴量が一致するか否かを識別する顔認識処理部１５４を設けても構わない。ここで、顔の特徴量とは、顔の形状，目の位置や大きさ，鼻や口の位置や大きさ，顔全体に対する目や鼻や口の配置などである。これらの顔の特徴量の違いによって、特定人物を認識することができる。或いは、上記で述べた服の色などの被写体情報と顔認識処理とを併用しても構わない。
【００４０】
ここで、被写体認識の例について図３を用いて説明する。図３（ａ）に示すように、サブカメラ１０３の撮影エリア３０１（第２画像）はメインカメラ１０２の撮影エリア３０２（第１画像）より広角になっている。尚、図３では、第２画像は第１画像の被写界の全てを含む場合の例を示しているが、第１画像の被写界の少なくとも一部を含んでいればよい。同図において、メインカメラ１０２の撮影エリア３０２には３人の人物が居るが、主要被写体の人物Ａはメインカメラ１０２の撮影エリア３０２には居ない。しかし、サブカメラ１０３の撮影エリア３０１には、主要被写体の人物Ａが入っているので、被写体認識部１５１は人物Ａがメインカメラ１０２の撮影エリア３０２の左側に居ることがわかる。
【００４１】
また、図３（ａ）の画像に続いて撮影される画像が図３（ｂ）であったとすると、主要被写体の人物Ａは図３（ａ）の場合よりもメインカメラ１０２の撮影エリア３０２側に近くなっているので、人物Ａは画面左側からメインカメラ１０２の撮影エリア３０２に近づいてきていることがわかる。ここで、図３（ａ）と図３（ｂ）の画像の撮影間隔が既知で主要被写体の画面上での移動距離を測定すれば、主要被写体の画面上での移動速度を求めることができる。また、図３（ｂ）の画像に時間的に連続して撮影される画像があれば、3枚の画像の主要被写体の位置の変化から移動加速度を求めることができる。或いは、主要被写体の画面上の座標の変化から移動方向も求めることができる。このようにして、被写体認識部１５１は、主要被写体の位置や状態（移動速度，移動方向など）を認識することができる。
【００４２】
尚、サブカメラ１０３で撮影する第２画像の中で被写体認識を行う領域は、図４に示すように、必ずしも第２画像の撮影エリア３０１全体に対して行う必要はない。例えば、図４（ａ）に示すように、第２画像の撮影エリア３０１の中で第１画像の撮影エリア３０２の左右の領域４０１および領域４０２だけを対象にしたり、さらに図４（ｂ）に示すように特定の領域４０３だけを対象にして被写体認識を行っても構わない。
【００４３】
登録処理部１５２は、上記で説明したように、主要被写体に対応する特徴が入力される入力部に相当し、その特徴は、色，コントラスト，形状および動きの少なくとも１つであればよい。或いは、行動パターン，構成および顔の特徴量などを用いても構わない。被写体登録モードにおいて、登録処理部１５２は、上記のような主要被写体情報をメモリ１０８に登録する処理を行う。登録手順は、先ずメインカメラ１０２の本撮影前に撮影装置１０１を被写体登録モードにして登録したい主要被写体をメインカメラ１０２またはサブカメラ１０３で撮影する。そして、撮影した画像を液晶モニタ１０７に表示し、撮影者は操作部１０６の十字カーソルボタン２５４を用いて登録したい主要被写体部分を枠などで囲んで指定し、メモリ１０８に登録する。この時、登録処理部１５２は、撮影者が指定した部分の被写体情報（色や顔の特徴量など）を抽出して、その被写体情報をメモリ１０８に書き込む。尚、複数の主要被写体を登録するときは、登録順に異なる番号やアルファベットを割り振って、それぞれの主要被写体と被写体情報とを対応させてメモリ１０８に登録する。
【００４４】
また、主要被写体の移動速度を被写体情報として登録できるようにしても構わない。この場合、例えば図５に示すように、歩く程度の速さ、走る程度の速さ、自動車や電車などの乗り物の速さなど、予め決められたいくつかの項目の中から選択できるようにしても構わないし、速度を数値で入力するようにしても構わない。このように、主要被写体の色や形状などだけでなく、移動速度を主要被写体の認識条件に加えることで、移動速度が異なる赤い服の人物と赤い色の自動車の区別などを確実に行うことができる。或いは、電車や自動車などの乗り物を主要被写体として撮影する場合にも効果的である。
【００４５】
さらに、登録処理部１５２でメモリ１０８に登録されている主要被写体の被写体情報は、主要被写体情報確認画面で確認することができる。尚、主要被写体情報確認画面は、撮影者が操作部１０６の十字カーソルボタン２５４などを用いて表示する。例えば、図６に示すような主要被写体情報確認画面において、主要被写体Ａの被写体情報は、赤色で中サイズ程度（例えば５０×５０画素程度）の大きさであることを示している。同様に、主要被写体Ｂの被写体情報は、黄色で小サイズ（例えば１０×１０画素以下）の大きさであることを示し、主要被写体Ｃの被写体情報は、緑色で大サイズ（例えば１００×１００画素以上）の大きさであることを示している。尚、図６に示す被写体情報が顔の特徴量（顔の形状や目と口の配置など）である場合は、確認のために顔画像を表示するようにしても構わない。
【００４６】
警告処理部１５４は、被写体認識部１５１の主要被写体の判別結果に応じて、警告部１１１から警報音や音声メッセージを出力する。例えば、音声メッセージの場合は「主要被写体が右側（或いは左側）に居ます。」，「主要被写体が画面右側から近づいてきます。」或いは「主要被写体が画面左側に離れていきます。」などの音声メッセージを出力する。警報音の場合は、サブカメラ１０３の撮影エリア内で主要被写体を認識した場合に音を鳴らし、メインカメラ１０２の撮影エリアの近くに主要被写体が居ること撮影者に知らせる。或いは、音量を段々大きくすることで主要被写体がメインカメラ１０２の撮影画角に近づいていることを示したり、音量を段々小さくすることで主要被写体がメインカメラ１０２の撮影画角から離れていくことを示すことができる。さらに、警告部１１１のスピーカを撮影装置１０１の左右にそれぞれ設けて、右側に主要被写体がある場合は右側のスピーカから警報音や音声を出力し、左側に主要被写体がある場合は左側のスピーカから警報音や音声を出力するようにしても構わない。
【００４７】
または、警報音や音声の代わりに、液晶モニタ１０７に表示されているプレビュー画像にオーバーラップさせて文字メッセージを表示しても構わない。例えば、図３（ａ）の状態では人物Ａの動きが分からないので、図７（ａ）に示すように「人物Ａが左側に居ます。」という文字メッセージを表示する。同様に、図３（ｂ）の状態では人物Ａの動きが分かっているので、図７（ｂ）に示すように「人物Ａが左側から近づいてきます。」という文字メッセージを表示する。
【００４８】
さらに、図８（ａ）に示すように、主要被写体が居る側のプレビュー画面の枠を点滅させても構わないし、図８（ｂ）に示すように、矢印などのグラフィックをプレビュー画像にオーバーラップさせて表示しても構わない。特に矢印を表示する場合は、主要被写体が近づいてくる場合は液晶モニタ１０７の画面の中心向きの矢印を表示し、主要被写体が離れていく場合は液晶モニタ１０７の画面の外向きの矢印を表示するのが視覚的に分かり易い。
【００４９】
また、メインカメラ１０２の撮影エリアに主要被写体の人物Ａが入ったことも検出することができるので、「主要被写体が撮影エリアに入りました」という音声メッセージを警告部１１１から出力して撮影者に注意を促すことができる。この場合、図８（ｃ）に示すように、液晶モニタ１０７に表示されているプレビュー画像の主要被写体部分の輝度を変化させて点滅させるなど、強調表示しても構わない。尚、後で説明するように、主要被写体がメインカメラ１０２の撮影エリアに入った時に、制御部１０５が自動的にレリーズボタン２５２を押下するようにしても構わない。
【００５０】
このようにして、警告処理部１５４は、主要被写体がサブカメラ１０３の第２画像に含まれ、且つメインカメラ１０２の第１画像に含まれないときに警告を行うので、撮影者は、警告処理部１５４が警告部１１１や液晶モニタ１０７に出力する警報音，音声や文字メッセージ，グラフィック表示などによって、主要被写体が本撮影画像の撮影エリア外のどの位置にあるのか、また本撮影画像の撮影エリアに近づいてくるのか離れていくのかなどの主要被写体の位置や状況を撮影前に知ることができる。この結果、撮影者は、絶好の撮影タイミングを逃すことなく主要被写体を本撮影することができる。
【００５１】
次に、本実施形態に係る撮影装置１０１の撮影時の動作について図９のフローチャートを用いて説明する。尚、図９のフローチャートは、制御部１０５の内部に予め組み込まれたプログラムに従って動作する。また、撮影装置１０１のメモリ１０８には、撮影者が撮影したい主要被写体の被写体情報が既に登録されているものとする。以下、図９のフローチャートに従って順に説明する。
【００５２】
（ステップＳ１０１）撮影者は、撮影装置１０１の電源ボタン１５１を押下して電源をＯＮする。
【００５３】
（ステップＳ１０２）制御部１０５は、先ずメインカメラ１０２を起動し、先に説明したように、レンズ光学系１１２を介して撮像部１１３が撮影したプレビュー画像を液晶モニタ１０７に表示する。撮影者は、このプレビュー画像を見ながら撮影する被写体や撮影構図を確認する。尚、同時に、制御部１０５は、サブカメラ１０３を起動し、先に説明したように、レンズ光学系１２３を介して第２画像を撮影する。
【００５４】
（ステップＳ１０３）撮影者が、操作部１０６のレリーズボタンを押下したか否かを判別する。レリーズボタンが押下された場合はステップＳ１０８に進み、レリーズボタンが押下されていない場合はステップＳ１０４に進む。
【００５５】
（ステップＳ１０４）制御部１０５の被写体認識部１５１は、サブカメラ１０３で撮影した第２画像に対して主要被写体の認識処理を行う。つまり、認識した被写体の被写体情報が予めメモリ１０８に登録された主要被写体の被写体情報に合致するか否かを判別する。そして、登録された主要被写体の被写体情報に合致する場合はステップＳ１０５に進み、登録された主要被写体の被写体情報に合致しない場合はステップＳ１０６に進む。
【００５６】
（ステップＳ１０５）制御部１０５の警告処理部１５４は、警告部１１１や液晶モニタ１０７に警報音や音声或いは文字メッセージやグラフィック表示などを出力する。
【００５７】
（ステップＳ１０６）制御部１０５の警告処理部１５４が既に警告部１１１に警報音や音声を出力している場合はこれをリセットし、警報音や音声メッセージ或いは文字メッセージやグラフィック表示などの出力を止める。尚、この時、「主要被写体が撮影エリアの周辺に見つかりません。」などの音声メッセージや文字メッセージを出力するようにしても構わない。
【００５８】
（ステップＳ１０７）制御部１０５はメインカメラ１０１で本撮影を行ってメモリカード１０９に保存する。
【００５９】
（ステップＳ１０８）一連の撮影処理を終了する。
【００６０】
このようにして、撮影者は、警告処理部１５３が警告部１１１や液晶モニタ１０７に出力する警報音，音声や文字メッセージ，グラフィック表示などによって、主要被写体が本撮影画像の撮影エリア外のどの方向にあるのか、その撮影エリアに近づいてくるのか離れていくのかなどの主要被写体情報を知ることができ、絶好の撮影タイミングを逃すことなく本撮影を行うことができる。
【００６１】
尚、撮影装置１０１に主要被写体を本撮影するための自動撮影モードを設けても構わない。この場合は、図１０のフローチャートに示すように、図９のフローチャートのステップＳ１０５の処理の後に、主要被写体が本撮影画像の撮影エリア内に居るか否かの判別を行う処理ステップＳ１０９を挿入してある。
（ステップＳ１０９）制御部１０５は、主要被写体が本撮影画像の撮影エリア内に居るか否かの判別を行う。そして、主要被写体が本撮影画像の撮影エリア内に居る場合は自動的にレリーズボタン２５２を押下して、ステップＳ１０７の撮影処理に進み、主要被写体が本撮影画像の撮影エリア内に居ない場合はステップＳ１０２に戻る。
【００６２】
このようにして、主要被写体が本撮影画像の撮影エリア内に入った場合に自動的にレリーズボタン２５２を押下するので、主要被写体を確実に本撮影することができる。さらに、撮影装置１０１を連写撮影モードに設定しておけば、主要被写体が本撮影画像の撮影エリア内に入っている間ずっと自動撮影を続けるので、後で気に入った撮影画像を選択することができる。
【００６３】
ここで、複数の被写体を識別する場合、被写体認識部１５１はそれぞれの主要被写体について図３で説明したような主要被写体の位置や状況（移動方向，移動速度など）を検出する。例えば、図１１に示すように、本撮影画像の撮影エリア３０２の外側に登録された主要被写体の人物Ｂおよび人物Ｃが居る場合、液晶モニタ１０７に表示されている撮影エリア３０２のプレビュー画像に矢印を表示して、矢印に「Ｂ」および「Ｃ」のような主要被写体名や登録番号を表示することによって、複数の主要被写体の中の各主要被写体の位置や状況を確認することができる。或いは、各主要被写体毎に警告部１１１から出力する警報音の音色や音声メッセージを変えるようにしても構わない。このように、複数の主要被写体が登録されている場合でも、同様の効果を得ることができる。
【００６４】
尚、本実施形態では、液晶モニタ１０７にはプレビュー画像としてメインカメラ１０２で撮影される本撮影画像と同じ撮影エリアの画像を表示するようにしたが、サブカメラ１０３の撮影画像を液晶モニタ１０７に表示できるようにしても構わない。この場合は、サブカメラ１０３の撮影画像にメインカメラ１０１で撮影される本撮影画像の撮影エリアを点線枠で表示したり、本撮影画像の撮影エリア外にある主要被写体部分の輝度を変化させて撮影者に注意を促すようにしても構わない。
【００６５】
或いは、液晶モニタ１０７に表示する画像をメインカメラ１０２の撮影画像とサブカメラ１０３の撮影画像とを操作部１０６の操作ボタンによって切り替えられるようにしても構わない。例えば、十字カーソルボタン２５４のいずれかをワンタッチするだけで、１０２の撮影画像とサブカメラ１０３の撮影画像とを切り替えられるようにすれば、瞬時に本撮影画像の撮影エリア外の様子を確認できる。この場合も、主要被写体部分を点滅させるなどの方法で撮影者に分かり易いように表示する。この結果、撮影者は、主要被写体を本撮影する前に心の準備ができるので、シャッターチャンスを確実に捉えることができる。
【００６６】
また、本実施形態に係る撮影装置１０１は、スチルカメラだけでなく、ビデオカメラやカメラ付き携帯電話などを含み、画像を撮影することができる全ての装置に適用することができる。
【００６７】
以上説明してきたように、本実施形態にかかる撮影装置１０１は、メインカメラ１０２で本撮影する第１画像よりも広角の第２画像をサブカメラ１０３で撮影して主要被写体の認識を行い、撮影者に主要被写体の位置や状況を本撮影前に警告するので、撮影者はシャッターチャンスを逃すことなく確実に主要被写体を本撮影することができる。
【図面の簡単な説明】
【００６８】
【図１】本実施形態に係る撮影装置１０１のブロック図である。
【図２】撮影装置１０１の外観を示す説明図である。
【図３】主要被写体の認識処理を説明するための説明図である。
【図４】被写体認識領域を示す説明図である。
【図５】被写体認識する際の移動速度を設定するメニュー画面を示す説明図である。
【図６】主要被写体登録情報の表示例を示す説明図である。
【図７】文字メッセージの表示例を示す説明図である。
【図８】主要被写体の位置の表示例を示す説明図である。
【図９】撮影装置１０１の動作を示すフローチャートである。
【図１０】撮影装置１０１のその他の動作を示すフローチャートである。
【図１１】複数の主要被写体の認識処理を説明するための説明図である。
【符号の説明】
【００６９】
１０１・・・撮影装置              １０２・・・メインカメラ
１０３・・・サブカメラ            １０４・・・共通部
１０５・・・制御部                １０６・・・操作部
１０７・・・液晶モニタ            １０８・・・メモリ
１０９・・・メモリカード          １１０・・・カードＩ／Ｆ
１１１・・・警告部                １１２・・・レンズ光学系
１１３・・・撮像部                １１４・・・アナログ信号処理部
１１５・・・Ａ／Ｄ変換部          １１６・・・画像バッファ
１１７・・・デジタル信号処理部    １１８・・・ＡＥ部
１１９・・・ＡＦ部                １２０・・・レンズ駆動部
１２３・・・レンズ光学系          １２４・・・撮像部
１２５・・・アナログ信号処理部    １２６・・・Ａ／Ｄ変換部
１２７・・・画像バッファ          １２８・・・デジタル信号処理部
１５１・・・被写体認識部          １５２・・・登録処理部
１５３・・・被写体判別部          １５４・・・警告処理部
２５１・・・電源ボタン            ２５２・・・レリーズボタン
２５３・・・ズームボタン          ２５４・・・十字カーソルボタン
【図１】
2010118984.tif 000003
【図２】
2010118984.tif 000004
【図３】
2010118984.tif 000005
【図４】
2010118984.tif 000006
【図５】
2010118984.tif 000007
【図６】
2010118984.tif 000008
【図７】
2010118984.tif 000009
【図８】
2010118984.tif 000010
【図９】
2010118984.tif 000011
【図１０】
2010118984.tif 000012
【図１１】
2010118984.tif 000013